(57)【要約】【課題】装置の小型化、防水化を図ることができ、電池を効率よく使用できる撮影装置を提供する。【解決手段】レリーズボタン１８を備えたレリーズユニット４０が、カメラ本体１０から分離可能に形成され、リモコンとして使用することができる。レリーズユニット４０をカメラ本体１０に祖着すると、電磁誘導により無接点でカメラ本体１０からレリーズユニット４０に電力が供給され、レリーズユニット４０に備えられたレリーズ用電池が充電される。【選択図】  図１
2006308919.tif 000002
【特許請求の範囲】
【請求項１】
操作部が撮影装置本体から分離可能に形成され、リモコンとして使用可能な撮影装置であって、
前記操作部が前記撮影装置本体に装着されると、電磁誘導により無接点で前記撮影装置本体側から前記操作部側に電力が供給されて、前記操作部に備えられた二次電池が充電されることを特徴とする撮影装置。
【請求項２】
操作部が撮影装置本体から分離可能に形成され、リモコンとして使用可能な撮影装置であって、
前記操作部が前記撮影装置本体に装着されると、電磁誘導により無接点で前記操作部側から前記撮影装置本体側に電力が供給されて、前記撮影装置本体に備えられた二次電池が充電されることを特徴とする撮影装置。
【請求項３】
操作部が撮影装置本体から分離可能に形成され、リモコンとして使用可能な撮影装置であって、
電力の供給方向を操作部側又は撮影装置本体側に設定する設定手段を備え、前記設定手段で電力の供給方向を操作部側に設定して、前記操作部を前記撮影装置本体に装着すると、電磁誘導により無接点で前記撮影装置本体に備えられた二次電池から前記操作部に電力が供給されて、前記操作部に備えられた二次電池が充電され、前記設定手段で前記電力の供給方向を撮影装置本体側に設定して、前記操作部を前記撮影装置本体に装着すると、電磁誘導により無接点で前記操作部に備えられた二次電池から前記撮影装置本体側に電力が供給されて、前記撮影装置本体に備えられた二次電池が充電されることを特徴とする撮影装置。
【請求項４】
前記撮影装置本体に備えられた二次電池の残量を検出する第１検出手段と、
前記操作部に備えられた二次電池の残量を検出する第２検出手段と、
前記第１検出手段の検出結果と前記第２検出手段の検出結果とに基づいて電池残量が少ない方に電力が供給されるように前記設定手段を制御する制御手段と、
を備えたことを特徴とする請求項３に記載の撮影装置。
【請求項５】
前記電力の供給方向を表示する給電方向表示手段を備えたことを特徴とする請求項３又は４に記載の撮影装置。
【請求項６】
表示部が撮影装置本体から分離可能に形成された撮影装置であって、
前記表示部が前記撮影装置本体に装着されると、電磁誘導により無接点で前記撮影装置本体側から前記表示部側に電力が供給されて、前記表示部に備えられた二次電池が充電されることを特徴とする撮影装置。
【請求項７】
表示部が撮影装置本体から分離可能に形成され、リモコンとして使用可能な撮影装置であって、
前記表示部が前記撮影装置本体に装着されると、電磁誘導により無接点で前記表示部側から前記撮影装置本体側に電力が供給されて、前記撮影装置本体に備えられた二次電池が充電されることを特徴とする撮影装置。
【請求項８】
表示部が撮影装置本体から分離可能に形成され、リモコンとして使用可能な撮影装置であって、
電力の供給方向を表示部側又は撮影装置本体側に設定する設定手段を備え、前記設定手段で電力の供給方向を表示部側に設定して、前記表示部を前記撮影装置本体に装着すると、電磁誘導により無接点で前記撮影装置本体に備えられた二次電池から前記表示部に電力が供給されて、前記表示部に備えられた二次電池が充電され、前記設定手段で前記電力の供給方向を撮影装置本体側に設定して、前記表示部を前記撮影装置本体に装着すると、電磁誘導により無接点で前記表示部に備えられた二次電池から前記撮影装置本体側に電力が供給されて、前記撮影装置本体に備えられた二次電池が充電されることを特徴とする撮影装置。
【請求項９】
前記撮影装置本体に備えられた二次電池の残量を検出する第１検出手段と、
前記表示部に備えられた二次電池の残量を検出する第２検出手段と、
前記第１検出手段の検出結果と前記第２検出手段の検出結果とに基づいて電池残量が少ない方に電力が供給されるように前記設定手段を制御する制御手段と、
を備えたことを特徴とする請求項８に記載の撮影装置。
【請求項１０】
前記電力の供給方向を表示する給電方向表示手段を備えたことを特徴とする請求項８又は９に記載の撮影装置。
【発明の詳細な説明】
【技術分野】
【０００１】
本発明は撮影装置に係り、特に操作部又は表示部が撮影装置本体から分離可能に形成された撮影装置に関する。
【背景技術】
【０００２】
従来、この種の撮影装置として、特許文献１には、レリーズ操作を行う操作部がカメラ本体から分離可能に形成されたデジタルカメラが記載されている。このデジタルカメラは、操作部に充電池を内蔵しており、この操作部を介してカメラ本体への電源の供給及び充電を行うようにされている。また、特許文献２には、カメラ本体の背面に設けられたモニタをカメラ本体から分離可能に形成し、リモコンとして使用できるようしたデジタルカメラが記載されている。
【特許文献１】特開２００３−１５８６５２号公報
【特許文献２】特開２００４−３２２２２号公報
【発明の開示】
【発明が解決しようとする課題】
【０００３】
しかしながら、従来の撮影装置は、撮影装置本体と操作部又は表示部と電気的な接続に接点を用いて行うようにしているため、撮影装置本体と操作部又は表示部の双方に接点を設置しなければならず、装置を小型化する際の妨げとなっていた。また、操作部又は表示部を分離した際には接点が外部に露出した形となり、故障や接続不良の原因になりやすいという問題もあった。
【０００４】
また、操作部又は表示部を分離可能に形成した場合、操作部又は表示部にも電源を持つ必要があるが、従来は操作部又は表示部に備えられた電源を有効に活用できていないという欠点があった。すなわち、操作部又は表示部に備えられた電池の残量が十分にあっても、撮影装置本体の電池残量がない場合には撮影することができず、電池を効率よく使用できないという欠点があった。
【０００５】
本発明は、このような事情に鑑みて成されたもので、装置の小型化、防水化を図ることができ、電池を効率よく使用できる撮影装置を提供することを目的とする。
【課題を解決するための手段】
【０００６】
請求項１に記載の発明は、前記目的を達成するために、操作部が撮影装置本体から分離可能に形成され、リモコンとして使用可能な撮影装置であって、前記操作部が前記撮影装置本体に装着されると、電磁誘導により無接点で前記撮影装置本体側から前記操作部側に電力が供給されて、前記操作部に備えられた二次電池が充電されることを特徴とする。
【０００７】
請求項１に記載の発明によれば、操作部が撮影装置本体から分離可能に形成されており、その操作部を撮影装置本体に装着すると、電磁誘導により無接点で撮影装置本体側から操作部側に電力が供給され、操作部に備えられた二次電池が充電される。
【０００８】
請求項２に記載の発明は、前記目的を達成するために、操作部が撮影装置本体から分離可能に形成され、リモコンとして使用可能な撮影装置であって、前記操作部が前記撮影装置本体に装着されると、電磁誘導により無接点で前記操作部側から前記撮影装置本体側に電力が供給されて、前記撮影装置本体に備えられた二次電池が充電されることを特徴とする。
【０００９】
請求項２に記載の発明によれば、操作部が撮影装置本体から分離可能に形成されており、その操作部を撮影装置本体に装着すると、電磁誘導により無接点で操作部側から撮影装置本体側に電力が供給され、撮影装置本体に備えられた二次電池が充電される。
【００１０】
請求項３に記載の発明は、前記目的を達成するために、操作部が撮影装置本体から分離可能に形成され、リモコンとして使用可能な撮影装置であって、電力の供給方向を操作部側又は撮影装置本体側に設定する設定手段を備え、前記設定手段で電力の供給方向を操作部側に設定して、前記操作部を前記撮影装置本体に装着すると、電磁誘導により無接点で前記撮影装置本体に備えられた二次電池から前記操作部に電力が供給されて、前記操作部に備えられた二次電池が充電され、前記設定手段で前記電力の供給方向を撮影装置本体側に設定して、前記操作部を前記撮影装置本体に装着すると、電磁誘導により無接点で前記操作部に備えられた二次電池から前記撮影装置本体側に電力が供給されて、前記撮影装置本体に備えられた二次電池が充電されることを特徴とする。
【００１１】
請求項３に記載の発明によれば、操作部が撮影装置本体から分離可能に形成されており、設定手段で電力の供給方向を操作部側に設定して、その操作部を撮影装置本体に装着すると、電磁誘導により無接点で撮影装置本体に備えられた二次電池から操作部に電力が供給されて、操作部に備えられた二次電池が充電される。また、設定手段で電力の供給方向を撮影装置本体側に設定して、操作部を撮影装置本体に装着すると、電磁誘導により無接点で操作部に備えられた二次電池から撮影装置本体側に電力が供給されて、撮影装置本体に備えられた二次電池が充電される。
【００１２】
請求項４に記載の発明は、前記目的を達成するために、請求項３に記載の発明において、前記撮影装置本体に備えられた二次電池の残量を検出する第１検出手段と、前記操作部に備えられた二次電池の残量を検出する第２検出手段と、前記第１検出手段の検出結果と前記第２検出手段の検出結果とに基づいて電池残量が少ない方に電力が供給されるように前記設定手段を制御する制御手段と、を備えたことを特徴とする。
【００１３】
請求項４に記載の発明によれば、撮影装置本体に備えられた二次電池の残量を検出する第１検出手段と、操作部に備えられた二次電池の残量を検出する第２検出手段とが備えられており、電池残量が少ない方に電力が供給されるように電力供給方向が制御される。
【００１４】
請求項５に記載の発明は、前記目的を達成するために、請求項３又は４に記載の発明において、前記電力の供給方向を表示する給電方向表示手段を備えたことを特徴とする。
【００１５】
請求項５に記載の発明によれば、電力の供給方向が給電方向表示手段によって表示される。
【００１６】
請求項６に記載の発明は、前記目的を達成するために、表示部が撮影装置本体から分離可能に形成された撮影装置であって、前記表示部が前記撮影装置本体に装着されると、電磁誘導により無接点で前記撮影装置本体側から前記表示部側に電力が供給されて、前記表示部に備えられた二次電池が充電されることを特徴とする。
【００１７】
請求項６に記載の発明によれば、表示部が撮影装置本体から分離可能に形成されており、その表示部を撮影装置本体に装着すると、電磁誘導により無接点で撮影装置本体側から表示部側に電力が供給され、表示部に備えられた二次電池が充電される。
【００１８】
請求項７に記載の発明は、前記目的を達成するために、表示部が撮影装置本体から分離可能に形成され、リモコンとして使用可能な撮影装置であって、前記表示部が前記撮影装置本体に装着されると、電磁誘導により無接点で前記表示部側から前記撮影装置本体側に電力が供給されて、前記撮影装置本体に備えられた二次電池が充電されることを特徴とする。
【００１９】
請求項７に記載の発明によれば、表示部が撮影装置本体から分離可能に形成されており、その表示部を撮影装置本体に装着すると、電磁誘導により無接点で表示部側から撮影装置本体側に電力が供給され、撮影装置本体に備えられた二次電池が充電される。
【００２０】
請求項８に記載の発明は、前記目的を達成するために、表示部が撮影装置本体から分離可能に形成され、リモコンとして使用可能な撮影装置であって、電力の供給方向を表示部側又は撮影装置本体側に設定する設定手段を備え、前記設定手段で電力の供給方向を表示部側に設定して、前記表示部を前記撮影装置本体に装着すると、電磁誘導により無接点で前記撮影装置本体に備えられた二次電池から前記表示部に電力が供給されて、前記表示部に備えられた二次電池が充電され、前記設定手段で前記電力の供給方向を撮影装置本体側に設定して、前記表示部を前記撮影装置本体に装着すると、電磁誘導により無接点で前記表示部に備えられた二次電池から前記撮影装置本体側に電力が供給されて、前記撮影装置本体に備えられた二次電池が充電されることを特徴とする。
【００２１】
請求項８に記載の発明によれば、表示部が撮影装置本体から分離可能に形成されており、設定手段で電力の供給方向を表示部側に設定して、その表示部を撮影装置本体に装着すると、電磁誘導により無接点で撮影装置本体に備えられた二次電池から表示部に電力が供給されて、表示部に備えられた二次電池が充電される。また、設定手段で電力の供給方向を撮影装置本体側に設定して、表示部を撮影装置本体に装着すると、電磁誘導により無接点で表示部に備えられた二次電池から撮影装置本体側に電力が供給されて、撮影装置本体に備えられた二次電池が充電される。
【００２２】
請求項９に記載の発明は、前記目的を達成するために、請求項８に記載の発明において、前記撮影装置本体に備えられた二次電池の残量を検出する第１検出手段と、前記表示部に備えられた二次電池の残量を検出する第２検出手段と、前記第１検出手段の検出結果と前記第２検出手段の検出結果とに基づいて電池残量が少ない方に電力が供給されるように前記設定手段を制御する制御手段と、を備えたことを特徴とする。
【００２３】
請求項９に記載の発明によれば、撮影装置本体に備えられた二次電池の残量を検出する第１検出手段と、表示部に備えられた二次電池の残量を検出する第２検出手段とが備えられており、電池残量が少ない方に電力が供給されるように電力供給方向が制御される。
【００２４】
請求項１０に記載の発明は、前記目的を達成するために、請求項８又は９に記載の発明において、前記電力の供給方向を表示する給電方向表示手段を備えたことを特徴とする。
【００２５】
請求項１０に記載の発明によれば、電力の供給方向が給電方向表示手段によって表示される。
【発明の効果】
【００２６】
本発明によれば、装置の小型化、防水化を図ることができ、電池を効率よく使用できる。
【発明を実施するための最良の形態】
【００２７】
以下、添付図面に従って本発明に係る撮影装置を実施するための最良の形態について詳説する。
【００２８】
図１、図２は、それぞれ本発明が適用されたデジタルカメラの第１の実施の形態の構成を示す正面斜視図と背面斜視図である。
【００２９】
同図に示すように、このデジタルカメラ１のカメラ本体１０は、矩形の箱状に形成されており、その正面には、図１に示すように、撮影レンズ１２、ストロボ１４、ファインダ窓１６等が設けられており、上面には、レリーズボタン１８、電源スイッチ２０等が設けられている。
【００３０】
また、図２に示すように、カメラ本体１０の背面には、モニタ２２、ファインダ接眼部２４、モードスイッチ２６、ズームレバー２８、フォトモードボタン３０、ＢＡＣＫボタン３２、十字ボタン３４、ＭＥＮＵ／ＯＫボタン３６、表示ボタン３８等が設けられている。
【００３１】
なお、図示されていないが、カメラ本体１０の底面には、開閉自在な電池蓋が設けられており、この電池蓋を開けると、電池を装着するための電池挿入部と、メモリカードを装着するためのカードスロットが露出する。
【００３２】
撮影レンズ１２は、沈胴式のズームレンズで構成されており、撮影時にカメラ本体１０から繰り出され、非撮影時はカメラ本体１０内に沈胴する。
【００３３】
レリーズボタン１８は、いわゆる「半押し」と「全押し」とからなる２段ストローク式のスイッチで構成されている。デジタルカメラ１は、このレリーズボタン１８の「半押し」によってＡＥ（Automatic Exposure）、ＡＦ（Auto Focus）、ＡＷＢ（Automatic White Balance）が行われ、「全押し」によって画像の記録が行われる。
【００３４】
なお、このレリーズボタン１８が設置された部位は、図３に示すように、レリーズユニット４０としてカメラ本体１０から分離可能に形成されており、リモコンとして使用できるようにされている。この点については、後に詳述する。
【００３５】
モニタ２２は、カラー表示が可能な液晶モニタで構成されている。このモニタ２２は、撮影済み画像の表示画面として利用されるとともに、各種設定時にユーザインターフェースとして利用される。また、撮影時には、必要に応じてスルー画像が表示されて、画角確認用の電子ファインダとして利用される。
【００３６】
モードスイッチ２６は、デジタルカメラ１のモードを切り替えるスイッチとして機能し、「再生位置」、「静止画撮影位置」、「動画撮影位置」の間をスライド自在に設けられている。デジタルカメラ１は、このモードスイッチ２６を「再生位置」に合わせることにより、「再生モード」に設定され、撮影済み画像の再生が可能になる。また、「静止画撮影位置」に合わせることにより、「静止画撮影モード」に設定され、静止画の撮影が可能になり、「動画撮影位置」に合わせることにより、「動画撮影モード」に設定され、動画の撮影が可能になる。
【００３７】
ズームレバー２８は、左右方向に揺動自在に設けられており、撮影時にズーミングを指示するレバーとして機能するとともに、再生時に再生画像の拡大縮小を指示するレバーとして機能する。
【００３８】
フォトモードボタン３０は、撮影モード等の設定画面をモニタ２２に呼び出すボタンとして機能する。ユーザは、このフォトモードボタン３０を押すことによってモニタ２２に呼び出される設定画面で撮影画像の記録画素数の設定、感度の設定、色調や階調の設定、プリント予約の設定等が行われる。
【００３９】
十字ボタン３４は、上下左右四方向に押圧操作可能に形成されており、メニュー画面等において、上下左右四方向の指示を入力するボタンとして機能する。
【００４０】
ＭＥＮＵ／ＯＫボタン３６は、メニュー画面を呼び出すボタンとして機能するとともに（ＭＥＮＵボタンの機能）、選択内容の確定、処理の実行等を指示するボタンとして機能する（ＯＫボタンの機能）。
【００４１】
ＢＡＣＫボタン３２は、入力操作のキャンセル等を指示するボタンとして機能し、表示ボタン３８は、モニタ２２の表示の切り換え（表示のＯＮ／ＯＦＦ等）を指示するボタンとして機能する。
【００４２】
さて、上記のように本実施の形態のデジタルカメラ１では、レリーズボタン１８の設置部が、レリーズユニット４０としてカメラ本体１０から分離可能に形成されている。
【００４３】
このレリーズユニット４０は、図３に示すように、矩形のブロック状に形成されており、その上面にレリーズボタン１８が設置されている。レリーズユニット４０の両側面には、それぞれガイドレール４２が突出して形成されており、裏面には半球状のピン穴４４が形成されている。
【００４４】
一方、このレリーズユニット４０が装着されるカメラ本体１０の上面には、レリーズユニット４０が嵌合可能な矩形状の凹部４６が形成されている。この凹部４６の両内壁面には、レリーズユニット４０に形成されたガイドレール４２が嵌合可能なガイド溝４８が形成されており、底面には、レリーズユニット４０に形成されたピン穴４４に嵌合可能なロックピン５０が設けられている。
【００４５】
このロックピン５０は、先端が半球状に形成されており、図４に示すように、凹部４６の底面に形成された穴５２から出没自在に設けられている。そして、穴５２の内側に配設されたスプリング５４によって穴５２から突出する方向に付勢されている。
【００４６】
レリーズユニット４０をカメラ本体１０に取り付ける場合は、カメラ本体１０の上面とレリーズユニット４０の上面を同じ高さにし、カメラ本体１０の横方向から凹部４６にレリーズユニット４０を差し込んで、レリーズユニット４０をカメラ本体１０に取り付ける。この際、レリーズユニット４０に形成されたガイドレール４２を凹部４６に形成されたガイド溝４８に嵌合させて、レリーズユニット４０をカメラ本体１０に取り付ける。
【００４７】
このように、凹部４６にレリーズユニット４０を差し込むと、図４（ｂ）に示すように、凹部４６の底面から突出して設けられたロックピン５０が、レリーズユニット４０の裏面に押されて穴５２の内側に退避するが、レリーズユニット４０を凹部４６に完全に装着すると、ロックピン５０の位置とピン穴４４の位置が一致し、図４（ｃ）二示すように、ロックピン５０がピン穴４４に嵌合する。
【００４８】
ピン穴４４にロックピン５０が嵌合したレリーズユニット４０は、上下方向の移動がガイドレール４２とガイド溝４８とによって規制されるとともに、横方向の移動がロックピン５０とピン穴４４とによって規制され、カメラ本体１０にロックされる。
【００４９】
カメラ本体１０に取り付けられたレリーズユニット４０は、横方向にスライドさせることにより、ロックピン５０がレリーズユニット４０の裏面に押されて穴５２の内側に退避する。これにより、ロックが解除されて、カメラ本体１０から分離することができる。
【００５０】
図５は、本実施の形態のデジタルカメラ１の電気的構成を示すブロック図である。同図に示すように、デジタルカメラ１のカメラ本体１０は、撮影レンズ１２、撮像素子１００、アナログ信号処理部１０２、Ａ／Ｄ変換器１０４、画像入力コントローラ１０５、デジタル信号処理部１０６、圧縮伸張処理部１０８、メディア制御部１１０、記憶メディア１１２、表示制御部１１４、モニタ２２、電源制御部１１６、カメラ用電池１１８、給電制御部１２０、給電回路１２２、無線通信制御部１２４、無線通信部１２６、操作部（電源スイッチ２０、モードスイッチ２６、ズームレバー２８、フォトモードボタン３０、ＢＡＣＫボタン３２、十字ボタン３４、ＭＥＮＵ／ＯＫボタン３６、表示ボタン３８等）１２８、ＣＰＵ１３０、ＲＡＭ１３２、ＲＯＭ１３４、ＥＥＰＲＯＭ１３６等で構成され、レリーズユニット４０は、マイコン１４０、電源制御部１４２、レリーズ用電池１４４、充電制御部１４６、充電回路１４８、無線通信制御部１５０、無線通信部１５２、操作部（レリーズボタン１８）１５４等で構成されている。
【００５１】
デジタルカメラ１は、全体の動作をＣＰＵ１３０によって統括制御されており、ＣＰＵ１３０は、操作部１２８及びレリーズユニット４０からの入力に基づきＲＡＭ１３２を作業領域として使用しながら、所定の制御プログラムに従ってデジタルカメラ１の各部を制御する。ＲＯＭ１３４には、このＣＰＵ１３０が実行する制御プログラムや制御に必要な各種データ等が記録されている。また、ＥＥＰＲＯＭ１３６には、ユーザ設定情報等が記録されている。
【００５２】
撮像素子１００は、カラーＣＣＤで構成されており、その受光面には多数のフォトダイオードが配列されている。撮影レンズ１２を介して撮像素子１００の受光面に入射した光は、各フォトダイオードによって入射光量に応じた量の信号電荷に変換され、この各フォトダイオードに蓄積された信号電荷が、電圧信号（画像信号）として順次出力される。
【００５３】
アナログ信号処理部１０２は、撮像素子１００から順次出力される画像信号を相関二重サンプリング処理するとともに増幅し、Ａ／Ｄ変換器１０４は、このアナログ信号処理部１０２から出力されたアナログの画像信号をデジタルの画像信号に変換する。Ａ／Ｄ変換器１０４から出力されたデジタルの画像信号は、ＣＰＵ１３０の制御の下、画像入力コントローラ１０５を介してＲＡＭ１３２に取り込まれる。
【００５４】
デジタル信号処理部１０６は、同時化回路、ホワイトバランス補正回路、ガンマ補正回路、輪郭補正回路、輝度・色差信号生成回路等を含み、ＣＰＵ１３０からの指令に従って入力された画像信号に所要の信号処理を施し、輝度信号（Ｙ信号）及び色差信号（Ｃｒ、Ｃｂ信号）からなる画像データ（ＹＵＶデータ）を生成する。
【００５５】
圧縮伸張処理部１０８は、ＣＰＵ１３０からの指令に従い、入力されたＹＵＶデータに所要の圧縮処理を施し、所定フォーマットの圧縮画像データを生成する。また、入力された圧縮画像データに所要の伸張処理を施し、非圧縮のＹＵＶデータを生成する。
【００５６】
メディア制御部１１０は、ＣＰＵ１３０からの指令に従いカメラ本体に備えられたメディアスロットに装填された記憶メディア１１２へのデータの読み書きを制御する。
【００５７】
表示制御部１１４は、ＣＰＵ１３０からの指令に従いカメラ本体に備えられたモニタ２２への表示を制御する。
【００５８】
電源制御部１１６は、ＣＰＵ１３０からの指令に従い、二次電池で構成されたカメラ用電池１１８からデジタルカメラ１の各部への電力の供給を制御する。
【００５９】
給電制御部１２０は、ＣＰＵ１３０からの指令に従い、給電回路１２２を制御して一次コイル１５６を駆動する。なお、この一次コイル１５６は、レリーズユニット４０をカメラ本体１０に装着した際、レリーズユニット４０に備えられた二次コイル１５８と対向するように配置されている。
【００６０】
無線通信制御部１２４は、ＣＰＵ１３０からの指令に従い無線通信部１２６を制御して、レリーズユニット４０の無線通信部と所定の通信規格（たとえば、無線ＬＡＮ、ブルートゥース、赤外線通信等）に従った無線のデータ通信を行う。
【００６１】
レリーズユニット４０は、全体の動作をマイコン１４０によって統括制御されており、マイコン１４０は、操作部１５４及びカメラ本体１０からの指令に基づき所定の制御プログラムに従ってレリーズユニット４０の各部を制御する。
【００６２】
電源制御部１４２は、マイコン１４０からの指令に従い、二次電池で構成されたレリーズ用電池１４４からレリーズユニット４０の各部への電力の供給を制御する。
【００６３】
充電制御部１４６は、マイコン１４０からの指令に従い、充電回路１４８を制御して電磁誘導により二次コイル１５８で発生する交流電源をレリーズ用電池１４４に充電する。なお、この二次コイル１５８は、レリーズユニット４０をカメラ本体１０に装着した際、カメラ本体１０に備えられた一次コイル１５６と対向するように配置されている。
【００６４】
無線通信制御部１５０は、マイコン１４０からの指令に従い無線通信部１５２を制御して、カメラ本体１０の無線通信部と所定の通信規格（たとえば、無線ＬＡＮ、ブルートゥース、赤外線通信等）に従った無線のデータ通信を行う。
【００６５】
以上のように構成されたデジタルカメラ１の作用は、次の通りである。
【００６６】
カメラ本体１０に備えられたモードスイッチ２６でカメラのモードを撮影モードに設定し、レリーズボタン１８を押すと、レリーズユニット４０の無線通信部１５２からレリーズの操作信号が送信され、カメラ本体側の無線通信部１２６で受信される。カメラ本体１０のＣＰＵ１３０は、このレリーズユニット４０から出力された操作信号を受信することにより、撮影処理を実行する。
【００６７】
まず、所定の露出値で撮像素子１００が露光され、１コマ分の画像が撮像される。撮像素子１００から出力された画像信号は、アナログ信号処理部１０２、Ａ／Ｄ変換器１０４、画像入力コントローラ１０５を介してＲＡＭ１３２に取り込まれ、デジタル信号処理部１０６に加えられてＹＵＶデータに変換される。生成されたＹＵＶデータは、圧縮伸張処理部１０８に加えられ、所定の圧縮フォーマット（たとえばＪＰＥＧ）に従って圧縮されたのち、所定フォーマット（たとえば、Ｅｘｉｆ）の画像ファイルとして、メディア制御部１１０を介して記憶メディア１１２に記録される。
【００６８】
このようにして記憶メディア１１２に記録された画像データは、モードスイッチ２６でカメラのモードを再生モードに設定することにより、記憶メディア１１２から読み出され、圧縮伸張処理部１０８で所要の伸張処理が施された後、表示制御部１１４を介してモニタ２２に再生表示される。
【００６９】
なお、本実施の形態のデジタルカメラ１は、レリーズユニット４０がカメラ本体１０から分離可能に形成されているが、レリーズユニット４０をカメラ本体１０から取り外した場合であっても、相互の無線通信部１２６、１５２が通信可能な範囲内であれば、上記と同様に動作する。
【００７０】
一方、レリーズユニット４０がカメラ本体１０に装着されている場合には、レリーズユニット４０に備えられたレリーズ用電池１４４を充電することができる。以下、この作用について説明する。
【００７１】
レリーズユニット４０をカメラ本体１０に装着すると、カメラ本体１０に備えられた一次コイル１５６とレリーズユニット４０に備えられた二次コイル１５８とが互いに対向して配置される。この状態でカメラ本体側の給電回路１２２によって一次コイル１５６を駆動すると、電磁誘導によりレリーズユニット側の二次コイル１５８に交流電流が発生する。そして、この二次コイル１５８で発生した交流電流が充電回路１４８によってレリーズ用電池１４４に充電される。
【００７２】
このように、本実施の形態のデジタルカメラ１では、レリーズユニット４０に備えられたレリーズ用電池１４４を充電できるので、レリーズユニット４０が電池切れで使用できなくなるという不具合がない。
【００７３】
また、その充電も電磁誘導によって無接点で行われるため、接触不良を起こすこともなく、確実に充電することができる。
【００７４】
さらに、このように無接点で充電することにより、レリーズユニット４０とカメラ本体１０の双方に充電用の接点を設ける必要がなくなり、レリーズユニット４０とカメラ本体１０の双方のコンパクト化を図ることができる。また、無接点で充電することにより、簡単に防水構造とすることもできる。
【００７５】
なお、本実施の形態では、カメラ本体側からレリーズユニット側に電力を供給して、レリーズユニット４０のレリーズ用電池１４４を充電する構成としているが、逆の構成としてもよい。すなわち、レリーズユニット側からカメラ本体側に電力を供給して、カメラ本体１０のカメラ用電池１１８を充電する構成としてもよい。また、カメラ本体１０とレリーズユニット４０の双方で電力の供給を可能とし、給電方向を切り換えるようにしてもよい。この点については、後に詳述する。
【００７６】
また、レリーズ用電池１４４の残量検出手段を設けるとともに、検出したレリーズ用電池１４４の残量の表示手段を設けるようにしてもよい。
【００７７】
また、本実施の形態では、レリーズユニット４０に備えられたレリーズ用電池１４４を電磁誘導によって充電するようにしているが、カメラ本体１０に備えられたカメラ用電池１１８も電磁誘導により充電するようにしてもよい。
【００７８】
また、本実施の形態では、操作部としてカメラ本体１０からレリーズボタン１８を分離可能に形成したが、他の操作ボタン類も分離可能に形成してもよい。たとえば、ズームレバーとレリーズボタンをカメラ本体から分離可能に形成してもよい。
【００７９】
また、充電を開始するタイミングについては、レリーズユニット４０がカメラ本体１０に装着されると、常に充電されるようにしてもよいし、充電開始の指示に応じて充電を開始するようにしてもよい。充電開始の指示は、たとえばメニュー画面で行うようにしてもよいし、カメラ本体に専用の充電開始ボタンを設け、この充電開始ボタンが押されると、充電を開始するようにしてもよい。
【００８０】
図６、図７は、それぞれ本発明が適用されたデジタルカメラの第２の実施の形態の構成を示す正面斜視図と背面斜視図である。
【００８１】
同図に示すように、このデジタルカメラ２００のカメラ本体２１０は、矩形の箱状に形成されており、その正面には、図６に示すように、撮影レンズ２１２、ストロボ２１４等が設けられており、上面には、レリーズボタン２１６、電源スイッチ２１８等が設けられている。
【００８２】
また、図２に示すように、カメラ本体２１０の背面には、モニタ２２０、モードスイッチ２２２、ＢＡＣＫボタン２２４、マクロボタン２２６、ズームレバー２２８、ストロボボタン２３０、ＭＥＮＵ／ＯＫボタン２３２、取外しボタン２３４等が設けられている。
【００８３】
なお、図示されていないが、カメラ本体２１０の底面には、開閉自在な電池蓋が設けられており、この電池蓋を開けると、電池を装着するための電池挿入部と、メモリカードを装着するためのカードスロットが露出する。
【００８４】
撮影レンズ２１２は、沈胴式のズームレンズで構成されており、撮影時にカメラ本体２１０から繰り出され、非撮影時はカメラ本体２１０内に沈胴する。
【００８５】
レリーズボタン２１６は、いわゆる「半押し」と「全押し」とからなる２段ストローク式のスイッチで構成されている。デジタルカメラ２００は、このレリーズボタン２１６の「半押し」によってＡＥ、ＡＦ、ＡＷＢが行われ、「全押し」によって画像の記録が行われる。
【００８６】
モニタ２２０は、カラー表示が可能な液晶モニタで構成されている。このモニタ２２は、撮影済み画像の表示画面として利用されるとともに、各種設定時にユーザインターフェースとして利用される。また、撮影時には、必要に応じてスルー画像が表示されて、画角確認用の電子ファインダとして利用される。
【００８７】
なお、このモニタ２２０の設置部位は、図８に示すように、モニタユニット２４０としてカメラ本体２１０から分離可能に形成されており、分離したモニタユニット２４０は、リモコンとして使用可能に形成されている。この点については、後に詳述する。
【００８８】
モードスイッチ２２２は、デジタルカメラ２００のモードを切り替えるスイッチとして機能し、「再生位置」、「静止画撮影位置」、「動画撮影位置」の間をスライド自在に設けられている。デジタルカメラ２００は、このモードスイッチ２２２を「再生位置」に合わせることにより、「再生モード」に設定され、撮影済み画像の再生が可能になる。また、「静止画撮影位置」に合わせることにより、「静止画撮影モード」に設定され、静止画の撮影が可能になり、「動画撮影位置」に合わせることにより、「動画撮影モード」に設定され、動画の撮影が可能になる。
【００８９】
ＢＡＣＫボタン２２４は、入力操作のキャンセル等を指示するボタンとして機能し、ＭＥＮＵ／ＯＫボタン２３２は、メニュー画面を呼び出すボタンとして機能するとともに（ＭＥＮＵボタンの機能）、選択内容の確定、処理の実行等を指示するボタンとして機能する（ＯＫボタンの機能）。
【００９０】
マクロボタン２２６は、マクロ機能の切り換えを指示するボタンとして機能し、ストロボボタン２３０は、ストロボ機能の切り替えを指示するボタンとして機能する。また、ズームレバー２２８は、上下方向に揺動自在に設けられており、撮影時にズーミングを指示するレバーとして機能するとともに、再生時に再生画像の拡大縮小を指示するレバーとして機能する。
【００９１】
このマクロボタン２２６とズームレバー２２８とストロボボタン２３０は、必要に応じて十字ボタンとして機能し、メニュー画面等において、上下左右四方向の指示を入力するボタンとして動作する。
【００９２】
さて、上記のように本実施の形態のデジタルカメラ２００では、モニタ２２０の設置部位が、モニタユニット２４０としてカメラ本体２１０から分離可能に形成されている。
【００９３】
このモニタユニット２４０は、平たい矩形のプレート状に形成されており、その表面にモニタ２２０が配置されている。そして、そのモニタ２２０の右横にモードスイッチ２２２が配置されており、下にＢＡＣＫボタン２２４、マクロボタン２２６、ズームレバー２２８、ストロボボタン２３０、ＭＥＮＵ／ＯＫボタン２３２等が並列して配置されている。また、このモニタユニット２４０の両側面には、ロックピン２４２が突出して設けられている。このロックピン２４２は、先端が半球状に形成されており、モニタユニット２４０の側面に形成された穴２４４から出没自在に設けられている。そして、穴２４４の内側に配設された図示しないスプリングによって穴２４４から突出する方向に付勢されている。
【００９４】
一方、このモニタユニット２４０が装着されるカメラ本体２１０の背面には、モニタユニット２４０が嵌合可能な矩形状の凹部２４６が形成されている。この凹部２４６の両内壁面には、モニタユニット２４０の両側面に突出して設けられたロックピン２４２が嵌合可能なピン穴２４８が形成されている。
【００９５】
モニタユニット２４０をカメラ本体２１０に取り付ける場合は、カメラ本体２１０に形成された凹部２４６にモニタユニット２４０を嵌め込む。この際、モニタユニット２４０に形成されたロックピン２４２が、凹部２４６の内壁面に押されて穴２４４の内側に退避するが、モニタユニット２４０を凹部２４６に完全に装着すると、ロックピン２４２の位置とピン穴２４８の位置が一致し、ロックピン２４２がピン穴２４８に嵌合する。これにより、モニタユニット２４０がカメラ本体１０に装着され、ロックされる。
【００９６】
なお、モニタユニット２４０をカメラ本体２１０から取り外す場合は、取外しボタン２３４を押す。これにより、図示しない押圧部材が、凹部２４６に嵌合されたモニタユニット２４０の背面を押圧し、モニタユニット２４０がカメラ本体２１０から押し出され、カメラ本体２１０から取り外される。
【００９７】
図９は、本実施の形態のデジタルカメラ２００の電気的構成を示すブロック図である。同図に示すように、基本的な構成は上述した第１の実施の形態のデジタルカメラ１と同じである。
【００９８】
デジタルカメラ２００のカメラ本体２１０は、撮影レンズ２１２、撮像素子３００、アナログ信号処理部３０２、Ａ／Ｄ変換器３０４、画像入力コントローラ３０５、デジタル信号処理部３０６、圧縮伸張処理部３０８、メディア制御部３１０、記憶メディア３１２、電源制御部３１６、カメラ用電池３１８、給電制御部３２０、給電回路３２２、無線通信制御部３２４、無線通信部３２６、操作部（レリーズスイッチ２１６、電源スイッチ２１８等）３２８、ＣＰＵ３３０、ＲＡＭ３３２、ＲＯＭ３３４、ＥＥＰＲＯＭ３３６等で構成され、モニタユニット２４０は、マイコン３４０、電源制御部３４２、レリーズ用電池３４４、充電制御部３４６、充電回路３４８、無線通信制御部３５０、無線通信部３５２、表示制御部３１４、モニタ２２０、操作部（モードスイッチ２２２、ＢＡＣＫボタン２２４、マクロボタン２２６、ズームレバー２２８、ストロボボタン２３０、ＭＥＮＵ／ＯＫボタン２３２等）３５４等で構成されている。
【００９９】
デジタルカメラ２００は、全体の動作をＣＰＵ３３０によって統括制御されており、ＣＰＵ３３０は、操作部３２８及びモニタユニット２４０からの入力に基づきＲＡＭ３３２を作業領域として使用しながら、所定の制御プログラムに従ってデジタルカメラ２００各部を制御する。ＲＯＭ３３４には、このＣＰＵ３３０が実行する制御プログラムや制御に必要な各種データ等が記録されている。また、ＥＥＰＲＯＭ３３６には、ユーザ設定情報等が記録されている。
【０１００】
撮像素子３００は、カラーＣＣＤで構成されており、その受光面には多数のフォトダイオードが配列されている。撮影レンズ２１２を介して撮像素子３００の受光面に入射した光は、各フォトダイオードによって入射光量に応じた量の信号電荷に変換され、この各フォトダイオードに蓄積された信号電荷が、電圧信号（画像信号）として順次出力される。
【０１０１】
アナログ信号処理部３０２は、撮像素子３００から順次出力される画像信号を相関二重サンプリング処理するとともに増幅し、Ａ／Ｄ変換器３０４は、このアナログ信号処理部３０２から出力されたアナログの画像信号をデジタルの画像信号に変換する。Ａ／Ｄ変換器３０４から出力されたデジタルの画像信号は、ＣＰＵ３３０の制御の下、画像入力コントローラ３０５を介してＲＡＭ３３２に取り込まれる。
【０１０２】
デジタル信号処理部３０６は、同時化回路、ホワイトバランス補正回路、ガンマ補正回路、輪郭補正回路、輝度・色差信号生成回路等を含み、ＣＰＵ３３０からの指令に従って入力された画像信号に所要の信号処理を施し、輝度信号（Ｙ信号）及び色差信号（Ｃｒ、Ｃｂ信号）からなる画像データ（ＹＵＶデータ）を生成する。
【０１０３】
圧縮伸張処理部３０８は、ＣＰＵ３３０からの指令に従い、入力されたＹＵＶデータに所要の圧縮処理を施し、所定フォーマットの圧縮画像データを生成する。また、入力された圧縮画像データに所要の伸張処理を施し、非圧縮のＹＵＶデータを生成する。
【０１０４】
メディア制御部３１０は、ＣＰＵ３３０からの指令に従いカメラ本体に備えられたメディアスロットに装填された記憶メディア３１２へのデータの読み書きを制御する。
【０１０５】
電源制御部３１６は、ＣＰＵ３３０からの指令に従い、二次電池で構成されたカメラ用電池３１８からデジタルカメラ２００の各部への電力の供給を制御する。
【０１０６】
給電制御部３２０は、ＣＰＵ３３０からの指令に従い、給電回路３２２を制御して一次コイル３５６を駆動する。なお、この一次コイル３５６は、モニタユニット２４０をカメラ本体１０に装着した際、モニタユニット２４０に備えられた二次コイル３５８と対向するように配置されている。
【０１０７】
無線通信制御部３２４は、ＣＰＵ３３０からの指令に従い無線通信部３２６を制御して、モニタユニット２４０の無線通信部と所定の通信規格（たとえば、無線ＬＡＮ、ブルートゥース、赤外線通信等）に従った無線のデータ通信を行う。
【０１０８】
モニタユニット２４０は、全体の動作をマイコン３４０によって統括制御されており、マイコン３４０は、操作部３５４及びカメラ本体２１０からの指令に基づき所定の制御プログラムに従ってモニタユニット２４０の各部を制御する。
【０１０９】
電源制御部３４２は、マイコン３４０からの指令に従い、二次電池で構成されたレリーズ用電池３４４からモニタユニット２４０の各部への電力の供給を制御する。
【０１１０】
充電制御部３４６は、マイコン３４０からの指令に従い、充電回路３４８を制御して電磁誘導により二次コイル３５８で発生する交流電源をモニタ用電池３４４に充電する。なお、この二次コイル１５８は、モニタユニット２４０をカメラ本体２１０に装着した際、カメラ本体２１０に備えられた一次コイル３５６と対向するように配置されている。
【０１１１】
無線通信制御部３５０は、マイコン３４０からの指令に従い無線通信部３５２を制御して、カメラ本体１０の無線通信部と所定の通信規格（たとえば、無線ＬＡＮ、ブルートゥース、赤外線通信等）に従った無線のデータ通信を行う。
【０１１２】
表示制御部３１４は、ＣＰＵ３３０からの指令に従いカメラ本体に備えられたモニタ２２０の表示を制御する。
【０１１３】
以上のように構成されたデジタルカメラ２００の作用は、次の通りである。
【０１１４】
カメラ本体２１０に備えられたモードスイッチ２２２でカメラのモードを撮影モードに設定し、レリーズボタン２１６を押すと、カメラ本体２１０のＣＰＵ３３０は、これに応動して撮影処理を実行する。
【０１１５】
まず、所定の露出値で撮像素子１００が露光され、１コマ分の画像が撮像される。撮像素子３００から出力された画像信号は、アナログ信号処理部３０２、Ａ／Ｄ変換器３０４、画像入力コントローラ３０５を介してＲＡＭ３３２に取り込まれ、デジタル信号処理部３０６に加えられてＹＵＶデータに変換される。生成されたＹＵＶデータは、圧縮伸張処理部３０８に加えられ、所定の圧縮フォーマット（たとえばＪＰＥＧ）に従って圧縮されたのち、所定フォーマット（たとえば、Ｅｘｉｆ）の画像ファイルとして、メディア制御部３１０を介して記憶メディア３１２に記録される。
【０１１６】
このようにして記憶メディア３１２に記録された画像データは、モードスイッチ２２２でカメラのモードを再生モードに設定することにより、記憶メディア３１２から読み出され、圧縮伸張処理部３０８で所要の伸張処理が施された後、表示制御部３１４を介してモニタ２２０に再生表示される。
【０１１７】
この際、表示用の画像データが、カメラ本体２１０の無線通信部３２６からモニタユニット２４０の無線通信部３５２に送信され、この送信された画像データが表示制御部３１４を介してモニタ２２０に再生表示される。
【０１１８】
同様にモニタユニット２４０に設けられた操作ボタンを操作すると、その操作信号がモニタユニット２４０の無線通信部３５２からカメラ本体２１０の無線通信部３２６に送信され、その操作信号に応じた処理が行われる。
【０１１９】
なお、本実施の形態のデジタルカメラ２００は、モニタユニット２４０がカメラ本体２１０から分離可能に形成されているが、モニタユニット２４０をカメラ本体２１０から取り外した場合であっても、相互の無線通信部３２６、３５２が通信可能な範囲内であれば、上記と同様に動作する。
【０１２０】
一方、モニタユニット２４０がカメラ本体２１０に装着されている場合には、モニタユニット２４０に備えられたモニタ用電池３５８を充電することができる。以下、この作用について説明する。
【０１２１】
モニタユニット２４０をカメラ本体２１０に装着すると、カメラ本体２１０に備えられた一次コイル３５６とモニタユニット２４０に備えられた二次コイル３５８とが互いに対向して配置される。この状態でカメラ本体側の給電回路３２２によって一次コイル３５６を駆動すると、電磁誘導によりモニタユニット側の二次コイル３５８に交流電流が発生する。そして、この二次コイル３５８で発生した交流電流が充電回路３４８によってモニタ用電池３４４に充電される。
【０１２２】
このように、本実施の形態のデジタルカメラ２００では、モニタユニット２４０に備えられたモニタ用電池３４４を充電できるので、モニタユニット２４０が電池切れで使用できなくなるという不具合がない。
【０１２３】
また、その充電も電磁誘導によって無接点で行われるため、接触不良を起こすこともなく、確実に充電することができる。
【０１２４】
さらに、このように無接点で充電することにより、モニタユニット２４０とカメラ本体２１０の双方に充電用の接点を設ける必要がなくなり、モニタユニット２４０とカメラ本体２１０の双方のコンパクト化を図ることができる。また、無接点で充電することにより、簡単に防水構造とすることもできる。
【０１２５】
なお、本実施の形態では、カメラ本体側からモニタユニット側に電力を供給して、モニタユニット２４０のモニタ用電池３４４を充電する構成としているが、逆の構成としてもよい。すなわち、モニタユニット側からカメラ本体側に電力を供給して、カメラ本体２１０のカメラ用電池３１８を充電する構成としてもよい。また、カメラ本体２１０とモニタユニット２４０の双方で電力の供給を可能とし、給電方向を切り換えるようにしてもよい。この点については、後に詳述する。
【０１２６】
また、モニタ用電池３４４の残量検出手段を設け、検出したモニタ用電池３４４の残量をモニタ２２０に表示させるようにしてもよい。
【０１２７】
また、本実施の形態では、モニタ２２０と各種操作ボタンをカメラ本体２１０から分離可能に形成しているが、モニタのみをカメラ本体から分離可能に形成するようにしてもよい。
【０１２８】
また、充電を開始するタイミングについては、モニタユニット２４０がカメラ本体１０に装着されると、常に充電されるようにしてもよいし、充電開始の指示に応じて充電を開始するようにしてもよい。充電開始の指示は、たとえば、メニュー画面で行うようにしてもよいし、カメラ本体に専用の充電開始ボタンを設け、この充電開始ボタンが押されると、充電を開始するようにしてもよい。
【０１２９】
図１０は、第３の実施の形態のデジタルカメラの電気的構成を示すブロック図である。
【０１３０】
本実施の形態のデジタルカメラは、上述した第１の実施の形態のデジタルカメラ１において、カメラ本体１０とレリーズユニット４０の双方に電力の供給を可能としたものである。したがって、ここでは双方の電力の供給に係わる部分の構成についてのみ説明し、他の構成については、第１の実施の形態のデジタルカメラ１と同じ符号を付して、その説明は省略する。
【０１３１】
図１０に示すように、カメラ本体１０には、カメラ用給電制御部４０２、カメラ用給電回路４０４、カメラ用充電制御部４０６、カメラ用充電回路４０８が備えられており、レリーズユニット４０には、レリーズ用充電制御部４１０、レリーズ用充電回路４１２、レリーズ用給電制御部４１４、レリーズ用給電回路４１６が備えられている。
【０１３２】
カメラ本体１０に設けられたカメラ用給電制御部４０２は、ＣＰＵ１３０からの指令に従い、カメラ用給電回路４０４を制御してカメラ用一次コイル４１８を駆動する。また、カメラ用充電制御部４０６は、ＣＰＵ１３０からの指令に従い、カメラ用充電回路４０８を制御して電磁誘導により、カメラ用二次コイル４２０で発生する交流電源をカメラ用電池１１８に充電する。
【０１３３】
一方、レリーズユニット４０に設けられたレリーズ用充電制御部４１０は、マイコン１４０からの指令に従い、レリーズ用充電回路４１２を制御して電磁誘導により、レリーズ用二次コイル４２０で発生する交流電源をレリーズ用電池１４４に充電する。また、レリーズ用給電制御部４１４は、マイコン１４０からの指令に従い、レリーズ用給電回路４１６を制御してレリーズ用一次コイル４２２を駆動する。
【０１３４】
さて、上記のように、本実施の形態のデジタルカメラ４００は、カメラ本体１０とレリーズユニット４０の双方で電力の供給が行うことができるように構成されており、一方の電力が不足した場合には、他方の電力を供給して作動させることができる。
【０１３５】
この電力の供給方向の切り替えは、ユーザのマニュアル操作で行われ、たとえば、メニュー画面で電力の供給方向を設定する。
【０１３６】
この設定でカメラ本体側からレリーズユニット側に電力が供給されるように設定されると、カメラ本体１０のＣＰＵ１３０とレリーズユニット４０のマイコン１４０は、無線通信部１２６、１５６を介して通信し、カメラ本体側からレリーズユニット側に電力が供給するように制御する。すなわち、カメラ本体１０のＣＰＵ１３０は、カメラ用給電制御部４０２を介してカメラ用給電回路４０４を制御し、カメラ用一次コイル４１８を駆動する。一方、レリーズユニット４０のマイコン１４０は、レリーズ用充電制御部４１０を介してレリーズ用充電回路４１２を制御し、レリーズ用二次コイル４２２で発生する交流電源をレリーズ用電池１４４に充電する。
【０１３７】
一方、レリーズユニット側からカメラ本体側に電力が供給されるように設定されると、カメラ本体１０のＣＰＵ１３０とレリーズユニット４０のマイコン１４０は、無線通信部１２６、１５６を介して通信し、レリーズユニット側からカメラ本体側に電力が供給するように制御する。すなわち、レリーズユニット４０のマイコン１４０は、レリーズ用給電制御部４１４を介してレリーズ用給電回路４１６を制御し、レリーズ用一次コイル４２４を駆動する。一方、カメラ本体１０のＣＰＵ１３０は、カメラ用充電制御部４０６を介してカメラ用充電回路４０８を制御し、カメラ用二次コイル４２０で発生する交流電源をカメラ用電池１１８に充電する。
【０１３８】
このように、メニュー画面で電力の供給方向を設定することにより、任意に電力の供給方向を切り換えることができる。これにより、双方の電池を効率よく利用することができる。
【０１３９】
なお、電力の供給方向の切り替えは、この他、図１１に示すように、カメラ本体１０に切換スイッチ４３０を設け、この切換スイッチ４３０によって給電方向を切り換えるようにしてもよい。また、レリーズユニット４０に電池残量の表示部４３２を設け、この表示部にレリーズ用電池
１４４の残量を表示させるようにしてもよい。
【０１４０】
また、本実施の形態では、レリーズユニット４０がカメラ本体１０から分離する場合について説明したが、上記第２の実施の形態のように、モニタユニット２４０がカメラ本体２１０から分離する場合についても、同様に双方で電力の供給を行う構成とすることができる。この場合、カメラ本体側にカメラ用給電制御部、カメラ用給電回路、カメラ用充電制御部、カメラ用充電回路を設け、モニタユニット側にモニタ用充電制御部、モニタ用充電回路、モニタ用給電制御部、モニタ用給電回路を設けるようにする。
【０１４１】
図１２は、第４の実施の形態のデジタルカメラの電気的構成を示すブロック図である。
【０１４２】
本実施の形態のデジタルカメラは、上述した第３の実施の形態のデジタルカメラ４００において、カメラ本体１０とレリーズユニット４０との間における電力の供給を自動で切り換えるようにしたものである。
【０１４３】
したがって、ここでは給電方向の自動切換に係わる部分の構成についてのみ説明し、他の構成については、上記第３の実施の形態のデジタルカメラ４００と同じ符号を付して、その説明は省略する。
【０１４４】
図１２に示すように、本実施の形態のデジタルカメラ５００には、カメラ本体１０にカメラ用電池１１８の残量を検出するカメラ用電池残量検出部５０２が設けられ、レリーズユニット４０にレリーズ用電池１４４の残量を検出するレリーズ用電池残量検出部５０４が設けられている。
【０１４５】
レリーズ用電池残量検出部５０４で検出されたレリーズ用電池１４４の電池残量は、無線通信部１２６、１５２を介してカメラ本体１０に送信され、カメラ本体１０のＣＰＵ１３０は、このレリーズユニット４０から送信されたレリーズ用電池１４４の電池残量、及び、カメラ本体１０のカメラ用電池残量検出部５０２で検出されたカメラ用電池１１８の電池残量に基づいて、電力の供給方向を自動設定する。すなわち、電池残量が多い方から少ない方に電力が供給されるように設定する。たとえば、レリーズ用電池１４４の電池残量が、カメラ用電池１１８の電池残量よりも少ない場合は、カメラ本体側からレリーズユニット側に電力が供給されるように給電方向を設定し、カメラ用電池１１８の電池残量が、レリーズ用電池１４４の電池残量よりも少ない場合は、レリーズユニット側からカメラ本体側に電力が供給されるように給電方向を設定する。
【０１４６】
このように、給電方向を自動で切り替えることにより、各電池を効率よく使用することができる。
【０１４７】
なお、本実施の形態では、電池残量が少ない方に電力が供給されるように設定しているが、電池残量が一定以下になると、その電池を充電する方向に電力が供給されるように設定してもよい。たとえば、レリーズ用電池１４４の電池残量が一定値以下になると、カメラ本体側からレリーズユニット側に電力が供給されるように設定するようにしてもよい。
【０１４８】
また、本実施の形態のように給電方向を自動で切り換える場合には、給電方向を確認できるようにするため、現在の給電方向を表示することが好ましい。この表示は、モニタ２２で行うようにしてもよいし、専用の表示部を設けるようにしてもよい。また、カメラ本体とレリーズユニットにそれぞれＬＥＤランプ等を設け、電力の供給を受けている側のＬＥＤランプを点灯させるようにしてもよい。
【０１４９】
また、本実施の形態では、レリーズユニット４０がカメラ本体１０から分離する場合について説明したが、上記第２の実施の形態のように、モニタユニット２４０がカメラ本体２１０から分離する場合についても、ほぼ同様の構成で供給方向の自動切り替えを行うことができる。
【０１５０】
また、上記一連の実施の形態では、本発明をデジタルカメラに適用した場合を例に説明したが、本発明の適用は、これに限定されるものではなく、他の撮影機器にも同様に適用することができる。たとえば、銀塩カメラやカメラ付き携帯電話、ビデオカメラ等にも適用することができる。
【図面の簡単な説明】
【０１５１】
【図１】第１の実施の形態のデジタルカメラの構成を示す正面斜視図
【図２】第１の実施の形態のデジタルカメラの構成を示す背面斜視図
【図３】レリーズユニットを取り外した時の第１の実施の形態のデジタルカメラの構成を示す正面斜視図
【図４】レリーズユニットの装着部の構成を示す断面図
【図５】第１の実施の形態のデジタルカメラの電気的構成を示すブロック図
【図６】第２の実施の形態のデジタルカメラの構成を示す正面斜視図
【図７】第２の実施の形態のデジタルカメラの構成を示す背面斜視図
【図８】モニタユニットを取り外した時の第２の実施の形態のデジタルカメラの構成を示す正面斜視図
【図９】第２の実施の形態のデジタルカメラの電気的構成を示すブロック図
【図１０】第３の実施の形態のデジタルカメラの電気的構成を示すブロック図
【図１１】デジタルカメラの他の実施の形態の構成を示す背面斜視図
【図１２】第４の実施の形態のデジタルカメラの電気的構成を示すブロック図
【符号の説明】
【０１５２】
１…デジタルカメラ、１０…カメラ本体、１２…撮影レンズ、１４…ストロボ、１６…ファインダ窓、１８…レリーズボタン、２０…電源スイッチ、２２…モニタ、２４…ファインダ接眼部、２６…モードスイッチ、２８…ズームレバー、３０…フォトモードボタン、３２…ＢＡＣＫボタン、３４…十字ボタン、３６…ＭＥＮＵ／ＯＫボタン、３８…表示ボタン、４０…レリーズユニット、４２…ガイドレール、４４…ピン穴、４６…凹部、４８…ガイド溝、５０…ロックピン、５２…穴、５４…スプリング、１００…撮像素子、１０２…アナログ信号処理部、１０４…Ａ／Ｄ変換器、１０５…画像入力コントローラ、１０６…デジタル信号処理部、１０８…圧縮伸張処理部、１１０…メディア制御部、１１２…記憶メディア、１１４…表示制御部、１１６…電源制御部、１１８…カメラ用電池、１２０…給電制御部、１２２…給電回路、１２４…無線通信制御部、１２６…無線通信部、１２８…操作部、１３０…ＣＰＵ、１３２…ＲＡＭ、１３４…ＲＯＭ、１３６…ＥＥＰＲＯＭ、１４０…マイコン、１４２…電源制御部、１４４…レリーズ用電池、１４６…充電制御部、１４８…充電回路、１５０…無線通信制御部、１５２…無線通信部、１５４…操作部、１５６…一次コイル、１５８…二次コイル、２００…デジタルカメラ、２１０…カメラ本体、２１２…撮影レンズ、２１４…ストロボ、２１６…レリーズボタン、２１８…電源スイッチ、２２０…モニタ、２２２…モードスイッチ、２２４…ＢＡＣＫボタン、２２６…マクロボタン、２２８…ズームレバー、２３０…ストロボボタン、２３２…ＭＥＮＵ／ＯＫボタン、２３４…取外しボタン、２４０…モニタユニット、２４２…ロックピン、２４４…穴、２４６…凹部、２４８…ピン穴、３００…撮像素子、３０２…アナログ信号処理部、３０４…Ａ／Ｄ変換器、３０５…画像入力コントローラ、３０６…デジタル信号処理部、３０８…圧縮伸張処理部、３１０…メディア制御部、３１２…記憶メディア、３１４…表示制御部、３１６…電源制御部、３１８…カメラ用電池、３２０…給電制御部、３２２…給電回路、３２４…無線通信制御部、３２６…無線通信部、３２８…操作部、３３０…ＣＰＵ、３３２…ＲＡＭ、３３４…ＲＯＭ、３３６…ＥＥＰＲＯＭ、３４０…マイコン、３４２…電源制御部、３４４…モニタ用電池、３４６…充電制御部、３４８…充電回路、３５０…無線通信制御部、３５２…無線通信部、３５４…操作部、３５６…一次コイル、３５８…二次コイル、４００…デジタルカメラ、４０２…カメラ用給電制御部、４０４…カメラ用給電回路、４０６…カメラ用充電制御部、４０８…カメラ用充電回路、４１０…レリーズ用充電制御部、４１２…レリーズ用充電回路、４１４…レリーズ用給電制御部、４１６…レリーズ用給電回路、４１８…カメラ用一次コイル、４２０…カメラ用二次コイル、４２２…レリーズ用一次コイル、４２４…レリーズ用二次コイル、５００…デジタルカメラ、５０２…カメラ用電池残量検出部、５０４…レリーズ用電池残量検出部
【図１】
2006308919.tif 000003
【図２】
2006308919.tif 000004
【図３】
2006308919.tif 000005
【図４】
2006308919.tif 000006
【図５】
2006308919.tif 000007
【図６】
2006308919.tif 000008
【図７】
2006308919.tif 000009
【図８】
2006308919.tif 000010
【図９】
2006308919.tif 000011
【図１０】
2006308919.tif 000012
【図１１】
2006308919.tif 000013
【図１２】
2006308919.tif 000014